(57)【要約】【課題】人生の歩みに存在する節目の記念日等を簡単に視覚的に記録するための置物で、記念碑となるパーツを自由に設置、取り外しが行える装飾性の高い置物を提供する。【解決手段】棒状の形状で上面にパーツを設置できる複数個の設置抗を設ける。この設置抗の端（左端又は右端）を基準年とし、各パーツを基準年からの相対位置に相当する設置抗に設置することで人生の歩みにおける記念日の記録として視覚的に表現する。既に購入している宝飾品などの記念品は該当品を置けるパーツを利用することで本発明の置物に設置することができる。【選択図】図１２
2013000945.tif 000002
【特許請求の範囲】
【請求項１】
棒状の上部にパーツを固定できる複数個の設置抗で構成された装飾置物。
【請求項２】
棒状の上部部分をパーツを固定しやすくするために水平に加工した請求項１記載の装飾置物。
【請求項３】
棒状の断面が円形もしくは多角形の形状で転倒を防止するために下面を水平加工した請求項１記載又は請求項２記載の装飾置物。
【請求項４】
棒状の内部を円形もしくは多角形の形状で肉抜きした請求項１、請求項２又は請求項３記載の装飾置物。
【発明の詳細な説明】
【技術分野】
【０００１】
本発明は、宝飾品等（以降、パーツ）を時系列に設置できるようにした装飾置物の形状に関する。
【背景技術】
【０００２】
人生の中での歩みを示す日（以降、記念日）があるが、市場にはそれらを祝うための記念品はそれ自体で完成しており記念日を時系列に表して表現する装飾置物は無かった。一般的には個人での性格的な面による作業で系譜図等の書類で記録をとっていたり、事務的に記録して保管しているのが現状である。
【先行技術文献】
【特許文献】
【０００３】
【特許文献１】実開平０５−０００４９７号公報
【特許文献２】実登３０７６７５６号公報
【特許文献３】実登３１３５８０８号公報
【発明の概要】
【発明が解決しようとする課題】
【０００４】
本発明の装飾置物は、記念日に一致する市販品のパーツを購入し、本置物に固定するだけで自身の歩みを記録したように表現できる装飾置物を提供する。
【課題を解決するための手段】
【０００５】
本発明の装飾置物は、棒状であり上面にはパーツを固定できるように均等もしくは不均等に設置抗が加工されている。設置抗は上面から下面に貫通もしくは未貫通でもよい。下面は転倒防止のために転倒防止器具等で固定した場合は加工しなくてもよい。転倒防止器具等で固定しない場合は水平等に加工を行う。記念日に該当するパーツは基準年を示す側から順に設置抗に差し込んで固定する。材質は、合成樹脂や陶磁器やガラス、クリスタル、金属、木製等の美的な外観を表現できる材質で作成し、棒状の外観は装飾性を加味するために飾り細工や内部の肉抜き等を行い美的な外観を表現する。
【発明の効果】
【０００６】
本発明の装飾置物は、上部にある設置抗の端（左端または右端）を基準年と設定し、記念日に該当するパーツを基準年からの相対する設置抗に固定することで、記念日を視覚的に表現することができる。本発明の装飾置物を使用してパーツを追加していけば、簡単に多くの人が自分の歩みを視覚的に表現することができ、世代にわたり継続していけば大きな系譜図等の代わりとして表現することが可能である。
【図面の簡単な説明】
【０００７】
【図１】本発明の装飾置物の実施例１の斜視図である。
【図２】図１の平面図である。
【図３】図２に示す装飾置物の平面図で設置抗を通るＡ１からＡ２線における断面図である。
【図４】図１の側面図である。
【図５】棒状の側面部に情報表示部品を設置できる設置窓を設けた側面図である。
【図６】棒状の上面を加工していない形状で、棒状の側面部に情報表示部品を設置できる設置窓を設けた断面図である。
【図７】装飾性を加味した外観として棒状の内部を円形に肉抜きした断面図である。
【図８】装飾性を加味した外観として棒状の内部を多角形に肉抜きした断面図である。
【図９】棒状の形状を外観を四角形に変えた装飾置物の実施例２の斜視図である。
【図１０】棒状の形状を外観を多角形に変えた装飾置物の実施例３の斜視図である。
【図１１】本発明の設置抗にパーツを固定する様子を示した斜視図である。
【図１２】本発明の設置抗にパーツを固定した様子を示した斜視図である。
【図１３】本発明の置物を複数個連結した様子を示した斜視図である。
【図１４】本発明の置物をテレビ台等の上に設置した様子を示した斜視図である。
【発明を実施するための形態】
【０００８】
本発明の装飾置物を図面で説明する。図１は合成樹脂や陶磁器やガラス、クリスタル、金属等の素材を棒状に形成した枠部２の上部にパーツを設置できる複数個の設置抗１で形成する。枠部２の上部はパーツを設置しやすいように水平に加工している。
【０００９】
図３は図２のＡ１からＡ２線における位置で切断した断面図である。枠部２の上部は図６のように水平に加工しなくてもよい。図７、図８は本発明の装飾置物に装飾性を加味した外観として棒状の内部を肉抜きした形状である。
【００１０】
図５は本発明の装飾置物の枠部２に情報表示部品（液晶パネルやアナログ時計等）を設置できるように設置窓を設けた形状である。設置窓は内部を肉抜きされている場合には貫通することもある。
【００１１】
本発明の装飾置物の長さは２５年から５０年ぐらいの年月内でおこった複数の記念日のパーツを設置できるぐらいの長さを持つ形状である。棒状の高さ、幅は長さに対して装飾性が高い比率を持つ形状である。棒状の高さが低くデザインされた場合、設置抗１は上面から下面に貫通していてもよい。貫通することで肉抜きされた部分に光を発光する発光装置等を利用することで設置抗から光が照射されるなど装飾性を加味できる形状にすることができる。
【実施例】
【００１２】
本発明の装飾置物として棒状の形状であれば断面が円形、四角形もしくは多角形で形成されてもよい。図９は四角形で形成されている形状の実施例２の斜視図である。図１０は多角形で形成されている形状の実施例３の斜視図である。
【００１３】
図１１は本発明の装飾置物に記念碑となるパーツを設置するイメージを表す。パーツの下部の突起物を設置抗１に差し込んでパーツを固定する。同じ記念日に該当するパーツ（この図の場合は出産日を記録した名札イメージのパーツ６と子供を抱く両親をイメージしたパーツ７）と結婚式をイメージしたパーツ８を設置抗１に固定する様子を表している。図１２は実際にパーツが固定されている様子を表す。
【００１４】
図１３は本発明の装飾置物を連結して使用した場合を示す。連結して使用する状況としては、長生きした人の人生を表す場合等がある。たとえば、３個を連結して使用する場合は１個目は２０歳までを表し、２個目は５０歳まで、３個目はそれ以降を表しているものである。別の例では、１個目は両親の分、２個目は自身の分、３個目は子供の分と世代毎に利用しているものである。
【００１５】
図１４は本発明の装飾置物をテレビ台等に設置した様子を示した使用例である。
【符号の説明】
【００１６】
１    パーツの設置抗
１ｂ  パーツの設置抗
１ｃ  パーツの設置抗
２    枠部
３    円形で肉抜きされた部分
４    多角形で肉抜きされた部分
５    情報表示部品の設置窓を加工した部分
６    出産日を記録した名札イメージのパーツ
７    子供を抱く両親をイメージしたパーツ
８    結婚式をイメージしたパーツ
【図１】
2013000945.tif 000003
【図２】
2013000945.tif 000004
【図３】
2013000945.tif 000005
【図４】
2013000945.tif 000006
【図５】
2013000945.tif 000007
【図６】
2013000945.tif 000008
【図７】
2013000945.tif 000009
【図８】
2013000945.tif 000010
【図９】
2013000945.tif 000011
【図１０】
2013000945.tif 000012
【図１１】
2013000945.tif 000013
【図１２】
2013000945.tif 000014
【図１３】
2013000945.tif 000015
【図１４】
2013000945.tif 000016